【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
一対のレ−ル部分（１３ａ，１３ｃ）を上面に有するガイド本体１と、滑走面に油ポケットを有するスライド本体２とからなる静圧直動案内装置（５０）であって、
前記ガイド本体（１）は、ベッド（１１）の上面に左右対称に４条の突起体（１２ａ，１２ｂ，１２ｃ，１２ｄ）を設けて３条の凹部（１３ａ，１３ｂ，１３ｃ）を設け、内側の突起体（１２ｂ，１２ｃ）の上面途中に当て板（１４ａ，１４ｂ）を外方に向けて前記第一凹部（１３ａ）と第三凹部（１３ｃ）の上方一部を塞ぐように敷設して第一凹部レ−ル（１３ａ）と第二凹部レ−ル（１３ｃ）を設けたガイド本体（１）であり、
スライド本体（２）は、そのテ−ブル（２１）下面に前記ガイド本体（１）に設けられた外側の突起体（１２ａ，１２ｄ）の上面に当接するとともに、ガイド本体（１）に設けられた当て板（１４ａ，１４ａ）の外側面に対向する突起体（２２ａ，２２ｂ）を左右対称に設け、更にその突起体（２２ａ，２２ｂ）の下面途中より内側に向けてガイド本体１の第一凹部（１３ａ）と第三凹部（１３ｃ）の両側面に側面が対向する当て板（２３ａ，２３ｂ）を敷設した段部脚構造のスライド本体（２）であり、
前記ガイド本体（１）の第一突起体（１２ａ）、第四突起体（１２ｄ）の上面と、スライド本体（２）の突起体（２２ａ，２２ｂ）の下面が当接する面で第一摺動面（３１，３１）を、
前記ガイド本体（１）の当て板（１４ａ，１４ｂ）の下面と、スライド本体（２）の当て板（２３ａ，２３ｂ）の上面が当接する面で第二摺動面（３２，３２）を、
前記ガイド本体（１）の当て板（１４ａ，１４ｂ）の側面と、スライド本体（２）の突起体（２２ａ，２２ｂ）の側面が対向する面で第三摺動面（３３，３３）を、
前記ガイド本体（１）の第一凹部（１３ａ）を形成する第一突起体（１２ａ）の内側面とスライド本体（２）の当て板（２３ａ）の右側面が対向する面で第四摺動面（３４ａ）を、および前記ガイド本体（１）の第三凹部（１３ｃ）を形成する第四突起体（１２ｄ）の内側面とスライド本体（２）の当て板（２３ｂ）の左側面が対向する面で第四摺動面（３４ｂ）を、
前記ガイド本体（１）の第一凹部（１３ａ）を形成する第二突起体（１２ｂ）の側面とスライド本体（２）の当て板（２３ａ）の左側面が対向する面で第五摺動面（３５ａ）を、および前記ガイド本体（１）の第三凹部（１３ｃ）を形成する第三突起体（１２ｃ）の側面とスライド本体（２）の当て板（２３ｂ）の右側面が対向する面で第五摺動面（３５ｂ）を設け、
前記スライド本体（２）の第一摺動面（３１，３１）を形成する突起体（２２ａ，２２ｂ）の下面に油ポケット（４１，４１）を、第二摺動面（３２）を形成する当て板（２３ａ，２３ｂ）の上面に油ポケット（４２，４２）を、第四摺動面（３４）を形成する当て板（２３ａ，２３ｂ）の外側面に油ポケット（４４，４４）を適宜な位置に設けて成る、
静圧直動案内装置（５０）。
【請求項２】
一対のレ−ル部分（１３ａ，１３ｃ）を上面に有するガイド本体（１）と、滑走面に油ポケットを有するスライド本体（２）とからなる静圧直動案内装置（５０）であって、
前記ガイド本体（１）は、ベッド（１１）の上面に左右対称に４条の突起体（１２ａ，１２ｂ，１２ｃ，１２ｄ）を設けて３条の凹部（１３ａ，１３ｂ，１３ｃ）を設け、外側の突起体（１２ａ，１２ｄ）の上面に当て板（１４ａ，１４ｂ）を内方に向けて前記第一凹部（１３ａ）と第三凹部（１３ｃ）の上方一部を塞ぐように敷設して第一凹部レ−ル（１３ａ）と第二凹部レ−ル（１３ｃ）を設けたガイド本体（１）であり、
スライド本体（２）は、そのテ−ブル（２１）下面に前記ガイド本体１に設けられた内側の突起体（１２ｂ，１２ｃ）の上面に当接するとともに、ガイド本体（１）に設けられた当て板（１４ａ，１４ｂ）の内側面に外側面が対向する突起体（２２ａ，２２ｂ）を左右対称に設け、更にその突起体（２２ａ，２２ｂ）の下面途中より外側に向けてガイド本体（１）の第一凹部（１３ａ）と第三凹部（１３ｃ）の両側面に側面が対向する当て板（２３ａ，２３ｂ）を敷設した段部脚構造のスライド本体（２）であり、
前記ガイド本体（１）の第二突起体（１２ｂ）、第三突起体（１２ｃ）の上面と、スライド本体（２）の突起体（２２ａ，２２ｂ）の下面が当接する面で第一摺動面（３１，３１）を、
前記ガイド本体（１）の当て板（１４ａ，１４ｂ）の下面と、スライド本体（２）の当て板（２３ａ，２３ｂ）の上面が当接する面で第二摺動面（３２，３２）を、
前記ガイド本体（１）の当て板（１４ａ，１４ｂ）の内側面と、スライド本体（２）の突起体（２２ａ，２２ｂ）の外側面が対向する面で第三摺動面（３３，３３）を、
前記ガイド本体（１）の第一凹部（１３ａ）を形成する第二突起体（１２ｂ）の内側面とスライド本体（２）の当て板（２３ａ）の左側面が対向する面で第四摺動面（３４ａ）を、および前記ガイド本体（１）の第三凹部（１３ｃ）を形成する第三突起体（１２ｃ）の内側面とスライド本体（２）の当て板（２３ｂ）の右側面が対向する面で第四摺動面（３４ｂ）を、
前記ガイド本体（１）の第一凹部（１３ａ）を形成する第一突起体（１２ａ）の側面とスライド本体（２）の当て板（２３ａ）の右側面が対向当接する面で第五摺動面（３５ａ）を、および前記ガイド本体（１）の第三凹部（１３ｃ）を形成する第四突起体（１２ｄ）の側面とスライド本体（２）の当て板（２３ｂ）の右側面が対向する面で第五摺動面（３５ｂ）を設け、
前記スライド本体（２）の第一摺動面（３１）を形成する突起体（２２ａ，２２ｂ）の下面に油ポケット（４１，４１）を、第二摺動面（３２）を形成する当て板（２３ａ，２３ｂ）の上面に油ポケット（４２，４２）を、第三摺動面（３３）を形成する第一および第二突起体（２２ａ，２２ｂ）の外側面に油ポケット（４３，４３）を、第四摺動面（３４）を形成する当て板（２３ａ，２３ｂ）の外側面に油ポケット（４４，４４）を適宜な位置に設けて成る、
静圧直動案内装置（５０）。  
【手続補正２】
【補正対象書類名】明細書
【補正対象項目名】００１０
【補正方法】変更
【補正の内容】
【００１０】
請求項２の発明は、一対のレ−ル部分１３ａ，１３ｃを上面に有するガイド本体１と、滑走面に油ポケットを有するスライド本体２とからなる静圧直動案内装置５０であって、
前記ガイド本体１は、ベッド１１の上面に左右対称に４条の突起体１２ａ，１２ｂ，１２ｃ，１２ｄを設けて３条の凹部１３ａ，１３ｂ，１３ｃを設け、外側の突起体１２ａ，１２ｄの上面に当て板１４ａ，１４ｂを内方に向けて前記第一凹部１３ａと第三凹部１３ｃの上方一部を塞ぐように敷設して第一凹部レ−ル１３ａと第二凹部レ−ル１３ｃを設けたガイド本体１であり、
スライド本体２は、そのテ−ブル２１下面に前記ガイド本体１に設けられた内側の突起体１２ｂ，１２ｃの上面に当接するとともに、ガイド本体１に設けられた当て板１４ａ，１４ｂの内側面に外側面が対向する突起体２２ａ，２２ｂを左右対称に設け、更にその突起体２２ａ，２２ｂの下面途中より外側に向けてガイド本体１の第一凹部１３ａと第三凹部１３ｃの両側面に側面が対向する当て板２３ａ，２３ｂを敷設した段部脚構造のスライド本体２であり、
前記ガイド本体１の第二突起体１２ｂ、第三突起体１２ｃの上面と、スライド本体２の突起体２２ａ，２２ｂの下面が当接する面で第一摺動面３１，３１を、
前記ガイド本体１の当て板１４ａ，１４ｂの下面と、スライド本体２の当て板２３ａ，２３ｂの上面が当接する面で第二摺動面３２，３２を、
前記ガイド本体１の当て板１４ａ，１４ｂの内側面と、スライド本体２の突起体２２ａ，２２ｂの外側面が対向する面で第三摺動面３３，３３を、
前記ガイド本体１の第一凹部１３ａを形成する第二突起体１２ｂの内側面とスライド本体２の当て板２３ａの左側面が対向する面で第四摺動面３４ａを、および前記ガイド本体１の第三凹部１３ｃを形成する第三突起体１２ｃの内側面とスライド本体２の当て板２３ｂの右側面が対向する面で第四摺動面３４ｂを、
前記ガイド本体１の第一凹部１３ａを形成する第一突起体１２ａの側面とスライド本体２の当て板２３ａの右側面が対向する面で第五摺動面３５ａを、および前記ガイド本体１の第三凹部１３ｃを形成する第四突起体１２ｄの側面とスライド本体２の当て板２３ｂの右側面が対向する面で第五摺動面３５ｂを設け、
前記スライド本体２の第一摺動面３１を形成する突起体２２ａ，２２ｂの下面に油ポケット４１，４１を、第二摺動面３２を形成する当て板２３ａ，２３ｂの上面に油ポケット４２，４２を、第三摺動面３３を形成する第一および第二突起体２２ａ，２２ｂの外側面に油ポケット４３，４３を、第四摺動面３４を形成する当て板２３ａ，２３ｂの外側面に油ポケット４４，４４を適宜な位置に設けて成る、
静圧直動案内装置５０を提供するものである。
【手続補正３】
【補正対象書類名】明細書
【補正対象項目名】００１８
【補正方法】変更
【補正の内容】
【００１８】
図７乃至図１２に示すワークテ−ブル用静圧直動案内装置５０は、一対のレ−ル部分１３ａ，１３ｃを上面に有するガイド本体１と、滑走面に油ポケットを有するスライド本体２とからなる静圧直動案内装置５０であって、
前記ガイド本体１は、ベッド１１の上面に左右対称に４条の突起体１２ａ，１２ｂ，１２ｃ，１２ｄを設けて３条の凹部１３ａ，１３ｂ，１３ｃを設け、外側の突起体１２ａ，１２ｄの上面に当て板１４ａ，１４ｂを内方に向けて前記第一凹部１３ａと第三凹部１３ｃの上方一部を塞ぐように敷設して第一凹部レ−ル１３ａと第二凹部レ−ル１３ｃを設けたガイド本体１であり、
スライド本体２は、そのテ−ブル２１下面に前記ガイド本体１に設けられた内側の突起体１２ｂ，１２ｃの上面に当接するとともに、ガイド本体１に設けられた当て板１４ａ，１４ｂの内側面に外側面が対向する突起体２２ａ，２２ｂを左右対称に設け、更にその突起体２２ａ，２２ｂの下面途中より外側に向けてガイド本体１の第一凹部１３ａと第三凹部１３ｃの両側面に側面が対向する当て板２３ａ，２３ｂを敷設した段部脚構造のスライド本体２であり、
前記ガイド本体１の第二突起体１２ｂ、第三突起体１２ｃの上面と、スライド本体２の突起体２２ａ，２２ｂの下面が当接する面で第一摺動面３１，３１を、
前記ガイド本体１の当て板１４ａ，１４ｂの下面と、スライド本体２の当て板２３ａ，２３ｂの上面が当接する面で第二摺動面３２，３２を、
前記ガイド本体１の当て板１４ａ，１４ｂの内側面と、スライド本体２の突起体２２ａ，２２ｂの外側面が対向する面で第三摺動面３３，３３を、
前記ガイド本体１の第一凹部１３ａを形成する第二突起体１２ｂの内側面とスライド本体２の当て板２３ａの左側面が対向する面で第四摺動面３４ａを、および前記ガイド本体１の第三凹部１３ｃを形成する第三突起体１２ｃの内側面とスライド本体２の当て板２３ｂの右側面が対向する面で第四摺動面３４ｂを、
前記ガイド本体１の第一凹部１３ａを形成する第一突起体１２ａの側面とスライド本体２の当て板２３ａの右側面が対向する面で第五摺動面３５ａを、および前記ガイド本体１の第三凹部１３ｃを形成する第四突起体１２ｄの側面とスライド本体２の当て板２３ｂの右側面が対向する面で第五摺動面３５ｂを設け、
前記スライド本体２の第一摺動面３１を形成する突起体２２ａ，２２ｂの下面に油ポケット４１，４１を、第二摺動面３２を形成する当て板２３ａ，２３ｂの上面に油ポケット４２，４２を、第三摺動面３３を形成する第一および第二突起体２２ａ，２２ｂの外側面に油ポケット４３，４３を、第四摺動面３４を形成する当て板２３ａ，２３ｂの外側面に油ポケット４４，４４を適宜な位置に設けて成る、静圧直動案内装置５０であり、スライド本体２は、幅８００ｍｍ、長手方向（進行方向）長さ４２５０ｍｍ、高さ３３５ｍｍ、ガイド本体１は、幅１０３０ｍｍ、長手方向（進行方向）長さ８５００ｍｍ、高さ２５０ｍｍの寸法を有する。